(57)【要約】【課題】被照射領域に、均一な光を照射することができる光源モジュールを提供する。【解決手段】  上面に発光面を備える光源と、発光面に回転軸を備えるレンズ部を含む導光部材と、を備える光源モジュールであって、レンズ部は、光源の発光面と対向し光源からの光が入射される凹状の入射面と、入射面の外側に配置され入射面から入射された光の一部を反射し、回転軸に水平な方向から４５度以上傾斜する反射面と、入射面から入射された光の一部及び反射面で反射された光を外部に出射する出射面と、を備え、入射面は、回転軸に対して４回対称であり、回転軸を含む断面において凹曲面の第１入射領域と、第１入射領域から４５度回転した位置であって回転軸を含む断面において凸曲面の第２入射領域と、を備える光源モジュール。【選択図】図３
2019192386.tif 000002
【特許請求の範囲】
【請求項１】
上面に発光面を備える光源と、
前記発光面に回転軸を備えるレンズ部を含む導光部材と、
を備える光源モジュールであって、
前記レンズ部は、前記光源の発光面と対向し前記光源からの光が入射される凹状の入射面と、前記入射面の外側に配置され前記入射面から入射された光の一部を反射し、前記回転軸に水平な方向から４５度以上傾斜する反射面と、前記入射面から入射された光の一部及び前記反射面で反射された光を外部に出射する出射面と、を備え、
前記入射面は、前記回転軸に対して４回対称であり、前記回転軸を含む断面において凹曲面の第１入射領域と、前記第１入射領域から４５度回転した位置であって前記回転軸を含む断面において凸曲面の第２入射領域と、
を備える光源モジュール。
【請求項２】
前記第１入射領域の面積は、前記第２入射領域の面積よりも大きい、請求項１記載の光源モジュール。
【請求項３】
前記第１入射領域の上端と下端とを結ぶ直線と、水平面との間の角度は、２０度〜７０度である、請求項１又は請求項２記載の光源モジュール。
【請求項４】
前記第１入射領域の上端と下端とを結ぶ直線と、水平面との間の角度は、２０度〜７０度である、請求項１〜請求項３のいずれか一項に記載の光源モジュール。
【請求項５】
前記入射面は、前記回転軸を含む領域において、前記回転軸と直交する平面状の第３入射領域を備える、請求項１〜請求項４のいずれか一項に記載の光源モジュール。
【請求項６】
前記反射面は前記回転軸を含む断面において凹曲面であり、前記反射面の上端と下端とを結ぶ直線と、水平面との間の角度は、４５度〜９０度である、請求項１〜請求項５のいずれか一項に記載の光源モジュール。
【請求項７】
前記反射面の上端は、前記入射面よりも高い位置に位置する、請求項１〜請求項６のいずれか一項に記載の光源モジュール。
【請求項８】
前記反射面は、前記第１入射領域の外側に、下面視において凸曲面の第１反射領域を備え、前記第２入射領域の外側に、下面視において凹曲面の第２反射領域を備える、請求項１〜請求項７のいずれか一項に記載の光源モジュール。
【請求項９】
前記出射面は、凹曲面である、請求項１〜請求項８のいずれか一項に記載の光源モジュール。
【請求項１０】
前記出射面は４回対称である、請求項９に記載の光源モジュール。
【発明の詳細な説明】
【技術分野】
【０００１】
本開示は、光源モジュールに関する。
【背景技術】
【０００２】
ＬＥＤ（Ｌｉｇｈｔ  Ｅｍｉｔｔｉｎｇ  Ｄｉｏｄｅ）などの光源から出射された光の配光特性を制御するレンズ等を備えた光源モジュールが知られている。
【０００３】
このような光源モジュールは、例えば、撮像カメラ用照明としてスマートフォンなどに搭載されている。撮像カメラの撮像領域は一般的に四角形であるため、光源モジュールからの光の被照射領域が四角形状となるようなレンズが検討されている（例えば特許文献１）。
【先行技術文献】
【特許文献】
【０００４】
【特許文献１】特開２０１４−２０９１５８号公報
【発明の概要】
【発明が解決しようとする課題】
【０００５】
被照射領域において、さらに均一な光が照射されることが求められている。
【課題を解決するための手段】
【０００６】
本発明の実施形態は、以下の構成を含む。
上面に発光面を備える光源と、発光面に回転軸を備えるレンズ部を含む導光部材と、を備える光源モジュールであって、レンズ部は、光源の発光面と対向し光源からの光が入射される凹状の入射面と、入射面の外側に配置され入射面から入射された光の一部を反射し、回転軸に水平な方向から４５度以上傾斜する反射面と、入射面から入射された光の一部及び反射面で反射された光を外部に出射する出射面と、を備え、入射面は、回転軸に対して４回対称であり、回転軸を含む断面において凹曲面の第１入射領域と、第１入射領域から４５度回転した位置であって回転軸を含む断面において凸曲面の第２入射領域と、を備える光源モジュール。
【発明の効果】
【０００７】
以上により、被照射領域に、均一な光を照射することができる。
【図面の簡単な説明】
【０００８】
【図１Ａ】実施形態に係る光源モジュールの一例を示す概略平面図である。
【図１Ｂ】図１Ａに示す光源モジュールのＩＢ−ＩＢ線における概略断面図である。
【図１Ｃ】図１Ａに示す光源モジュールのＩＣ−ＩＣ線における概略断面図である。
【図１Ｄ】図１Ａに示す光源モジュールのＩＤ−ＩＤ線における概略断面図である。
【図１Ｅ】図１Ｂに示す光源モジュールの変形例の一例を示す概略断面図である。
【図１Ｆ】図１Ｃに示す光源モジュールの変形例を示す概略断面図である。
【図２Ａ】実施形態に係るカバー部材の一例を示す概略斜視図である。
【図２Ｂ】図２Ａに示すカバー部材の概略下面図である。
【図３】実施形態に係るレンズ部の一例を示す概略下面図である。
【図４Ａ】図１Ｂに示すレンズ部を拡大した概略断面図である。
【図４Ｂ】図１Ｃに示すレンズ部を拡大した概略断面図である。
【図５Ａ】図４Ａ及び図４Ｂに示すレンズ部のＶＡ−ＶＡ線における概略端面図である。
【図５Ｂ】図４Ａ及び図４Ｂに示すレンズ部のＶＢ−ＶＢ線における概略端面図である。
【図５Ｃ】図４Ａ及び図４Ｂに示すレンズ部のＶＣ−ＶＣ線における概略端面図である。
【図５Ｄ】図４Ａ及び図４Ｂに示すレンズ部のＶＤ−ＶＤ線における概略端面図である。
【図６Ａ】実施形態に係る光源モジュールを搭載した電子機器の一例を示す部分拡大図である。
【図６Ｂ】実施形態に係る光源モジュールを搭載した電子機器の一例を示す部分拡大図である。
【図６Ｃ】実施形態に係る光源モジュールを搭載した電子機器の一例を示す部分拡大図である。
【図７】実施形態に係る光源モジュールを搭載した電子機器の一例を示す部分拡大図である。
【図８Ａ】実施形態に係る光源の一例を示す概略斜視図である。
【図８Ｂ】実施形態に係る光源の一例を示す概略斜視図である。
【図８Ｃ】図８に示す光源のＶＩＩＩ−ＶＩＩＩ線における概略断面図である。
【発明を実施するための形態】
【０００９】
本発明を実施するための形態を、以下に図面を参照しながら説明する。ただし、以下に示す形態は、本発明の技術思想を具体化するための光源モジュールを例示するものであって、本発明は、光源モジュールを以下に限定するものではない。構成部品の寸法、材質、形状、その相対的配置等は、特定的な記載がない限り、本発明の範囲をそれのみに限定する趣旨ではなく、例示することを意図したものである。また、以下の説明では、レンズ部の回転軸Ｃと平行な方向を上下方向（Ｚ方向）とする。光源モジュールはＺ方向に位置する上面が発光面（光取り出し面）である。また、Ｚ方向に直交するＸＹ平面において、横方向（Ｘ方向）と、横方向に直交する縦方向（Ｙ方向）として説明する。さらに、平面視において回転軸Ｃを中心にして＋Ｙ方向（上方向）を０度、−Ｙ方向（下方向）を１８０度、＋Ｘ方向（右方向）を９０度、−Ｘ方向（左方向）を２７０度として説明する。各図面が示す部材の大きさや位置関係等は、理解を容易にする等のために誇張している場合がある。また、各図面はわかりやすさを考慮して一部の図を省略して図示する場合がある。
【００１０】
図１Ａは、実施形態に係る光源モジュール１０００の一例を示す概略平面図である。図１Ｂは図１ＡのＩＢ−ＩＢ線における概略断面図、図１Ｃは図１ＡのＩＣ−ＩＣ線における概略断面図、図１Ｄは図１ＡのＩＤ−ＩＤ線における概略断面図である。
【００１１】
光源モジュール１０００は、光源１００と、光源１００の上方（Ｚ方向）に配置される導光部材３００と、を備える。光源１００は、上面に発光面１１０を備える。導光部材３００は配光制御可能なレンズ機能を備えたレンズ部３１０を含む。導光部材３００のレンズ部３１０は、発光面１１０の直上に位置するように配置されており、かつ、発光面１１０の中心をレンズ部３１０の回転軸Ｃとしている。レンズ部３１０の回転軸Ｃは、レンズ部３１０の光軸でもある。また、図１Ｂ、図１Ｃ等に示す例では光源１００の光軸とレンズ部３１０の回転軸Ｃとは一致している。これにより、出射光の配光角度を制御し易くすることができる。ただし、光源１００の光軸とレンズ部３１０の回転軸Ｃは一致していなくてもよい。
【００１２】
レンズ部３１０は、光源１００の発光面１１０と対向し光源１００からの光が入射される凹状の入射面３２０を備える。レンズ部３１０は、入射面３２０の外側に配置される反射面３３０を備える。反射面３３０は入射面３２０から入射された光の一部を反射する面である。レンズ部３１０は、さらに出射面３４０を備える。出射面３４０は、入射面３２０から入射された光の一部と、反射面３３０で反射された光を外部に出射する面である。
【００１３】
レンズ部３１０の入射面３２０は、回転軸Ｃに対して４回対称（９０度回転対称、４回回転対称とも称する）である。詳細には、入射面３２０は、回転軸Ｃを含む断面において、凹曲面の第１入射領域３２１と、回転軸Ｃを含み第１入射領域３２１から４５度回転した断面において、凸曲面の第２入射領域３２２と、を備える。
【００１４】
レンズ部３１０の入射面３２０の第２入射領域３２２は凸曲面であるため、回転軸Ｃに直交する任意の水平面（ＸＹ面）において、凹曲面の第１入射領域３２１よりも光源１００に近い位置に配置される。そのため、光源１００から出射される光は、第１入射領域３２１よりも、第２入射領域３２２のほうに多く入射され易い。つまり、第２入射領域３２２から入射され、その後に反射面３３０で反射された後に出射面３４０から出射される出射光の量は、第１入射領域３２１から入射され、その後に反射面３３０で反射された後に出射面３４０から出射される出射光よりも多い。
【００１５】
このような配光特性を備える光源モジュール１０００を撮像カメラ用照明として用いる場合、レンズ部の回転軸方向にある被写体を含む撮像領域に向けて、回転軸を中心に０度、９０度、１８０度、２７０度方向に拡がる光（第１入射領域から入射した光に由来する光）の量よりも、これらから４５度回転した４つの方向に拡がる光（第２入射領域から入射した光に由来する光）の量を多くすることができる。撮像カメラの撮像領域は四角形であるため、その四角形の４つの角部に対応する位置に第２入射領域が位置するように、カメラのレンズと光源モジュール１０００とを配置することで、四角形の撮像領域に照射される光をより均一にすることができる。
【００１６】
以下、実施形態に係る光源モジュールの各構成について詳説する。
【００１７】
（カバー部材）
図２Ａ、図２Ｂは、図１Ａ等に示す光源モジュール１０００に用いられるカバー部材２００を入射面側から見た下面図及び斜視図である。カバー部材２００は、配光特性の制御に寄与するレンズ部３１０を備えた導光部材３００と、その導光部材３００の周囲に配置され導光部材３００を支持する支持部材４００と、を備える。
【００１８】
カバー部材２００は、光源１００を覆うように設けられるものである。配線基板５００とカバー部材２００とで囲まれた領域に空間を形成しており、この空間内に光源１００が配置される。なお、光源１００以外にも、ツェナーダイオード（ＺＤ）、トランジェントボルテージサプレッサー（ＴＶＳ）等の保護素子や、明るさや色度、赤外線等の光学センサー等の電子部品等が、同じ空間内に配置されていてもよい。
【００１９】
カバー部材２００は、１又は複数の導光部材３００と、導光部材３００を支持する１又は複数の支持部材４００と、を備える。ここでは、１つの支持部材４００に１つの導光部材３００が支持されたカバー部材２００を例示する。
【００２０】
（導光部材）
図３はカバー部材２００の一部を構成する導光部材３００を入射面側から見た下面図である。導光部材３００は、光源１００の発光面１１０から出射される光の配光を制御するレンズ機能を備えたレンズ部３１０と、レンズ部３１０を保持する鍔部３５０と、を備える。導光部材３００は、光源１００からの光を透過可能な透光性の部材で構成される。レンズ部３１０と鍔部３５０とは一体成形された部材である。導光部材３００は、ポリカーボネイト、アクリル、シリコーン樹脂、エポキシ樹脂等の透光性部材で形成することができる。ここで透光性とは、光源１００からの光を５０％以上透過することを指し、好ましくは８０％以上、更に好ましくは９０％以上透過することを指す。
【００２１】
導光部材３００は、１又は複数のレンズ部３１０を備えることができる。図３は、２つのレンズ部３１０として、第１レンズ部３１１と第２レンズ部３１２とを備える導光部材３００を例示する。尚、第１レンズ部３１１と第２レンズ部３１２の両方に共通する事項については、これらを区別せずレンズ部３１０として説明をする。
【００２２】
１つの導光部材３００が２以上の複数のレンズ部３１０を備える場合、レンズ部３１０間に配置される鍔部３５０を介して複数のレンズ部３１０が一体成形されていてもよい。あるいは、１つのレンズ部を備える導光部材を複数備えていてもよい。
【００２３】
（レンズ部）
レンズ部３１０は、光源１００から出射された光の配光を制御する部材である。レンズ部３１０は、主として下面に配置される入射面３２０と、主として側面に配置される反射面３３０と、主として上面に配置される出射面３４０と、を備える。レンズ部３１０は、光源１００の発光面１１０の中心に回転軸Ｃを備えており、入射面３２０と出射面３４０は回転軸Ｃを含む位置にそれぞれ配置される。反射面３３０は回転軸Ｃからは離間する位置に配置されている。
【００２４】
先ず、入射面３２０について説明する。レンズ部３１０の入射面３２０は、レンズ部３１０の下面側において全体的に凹状に窪んだ形状である。換言すると、レンズ部３１０の入射面３２０は、レンズ部３１０の下側に開口部を備える凹部の内面であるともいえる。入射面３２０の下端における開口の大きさ（開口径）は、光源１００の発光面１１０の面積よりも広いことが好ましい。換言すると、光源１００の発光面１１０の全面が、入射面３２０と対向することが好ましい。これにより、光源１００からの光を効率よく入射面３２０に入射させることができる。
【００２５】
入射面３２０は、レンズ部３１０の回転軸Ｃに位置する部分が入射面３２０の中心であり、入射面３２０の中心は図１Ｂ等に示すようにＺ方向において最も高い位置に配置されている。
【００２６】
入射面３２０は、回転軸Ｃに対して４回対称である。４回対称とは、回転軸Ｃを中心に９０度回転すると同じ形状となる形状である。
【００２７】
入射面３２０は、回転軸Ｃを含む断面において凸曲面の第１入射領域３２１を備える。さらに入射面３２０は、第１入射領域３２１から回転軸Ｃを中心に４５度回転した位置であって回転軸Ｃを含む断面において、凹曲面の第２入射領域３２２を備える。また、図１Ｂ等に示すように、回転軸Ｃに位置する入射面３２０は、回転軸Ｃに直交する平面（ＸＹ面）に、平坦な面である第３入射領域３２３を有することができる。
【００２８】
第１入射領域３２１と第２入射領域３２２とは、その境界において滑らかに形状が変化することが好ましい。そのような場合は、図２Ｂに示すように、第１入射領域３２１と第２入射領域３２２との境界は明確には視認しにくいため、図示していない。このように、本実施形態に係る入射面３２０は、第１入射領域３２１と第２入射領域３２２との境界において、どちらにも属さない入射領域が存在する場合があり、本願はこのような入射領域を含む入射面であってもよい。なお、第１入射領域３２１と第２入射領域３２２との境界は明確に視認できてもよい。
【００２９】
第３入射領域３２３は平面であるため、図２Ｂに示すように、その外縁は明確である。換言すると、第１入射領域３２１及び第２入射領域３２２と、第３入射領域３２３との境界は明確である。なお、第１入射領域３２１及び第２入射領域３２２と、第３入射領域３２３との境界は、滑らかに形状が変化することで明確となっていなくてもよい。
【００３０】
第１入射領域３２１は、図１Ｂ、図１Ｄ及び図１Ｂの一部を拡大した図４Ａに示すように、回転軸Ｃを含む断面において凹曲面である。図１Ｂは、回転軸Ｃを含むＸＺ平面における断面図であり、図１Ｄは、回転軸Ｃを含むＹＺ平面における断面図である。本実施形態において、入射面３２０は４回対称であるため、図１Ｂに示すレンズ部３１０の入射面３２０と図１Ｄに示すレンズ部３１０の入射面３２０は同じ形状である。
【００３１】
第１入射領域３２１は、これらの回転軸Ｃを含む断面において、回転軸Ｃまたはその近傍に位置する入射面３２０の上端３２４から、光源１００に近接する入射面３２０の下端３２５にかけて連続する１つの凹曲面である。換言すると、第１入射領域３２１は、外側に凸となる曲面ともいえる。
【００３２】
第２入射領域３２２は、図１Ｃ及び図４Ｂに示すように、回転軸Ｃを含む断面において凸曲面である。詳細には、回転軸Ｃを含む断面において、中心軸Ｃまたはその近傍に位置する入射面の上端３２４から、光源１００に近接する下端３２５にかけて連続する１つの凸曲面である。
【００３３】
第１入射領域３２１及び第２入射領域３２２は、図３に示すように、回転軸Ｃを中心にして放射状に延びる破線で示す８本の境界線Ｌｄによって区画することができる。ただし、形状が滑らかに変化する場合は、境界線Ｌｄは視認することができない場合がある。入射面３２０には、境界線Ｌｄによって区画された８つの領域として、４つの第１入射領域３２１と４つの第２入射領域３２２とで構成されている。詳細には、入射面３２０において第１入射領域３２１と第２入射領域３２２とは、回転軸Ｃを中心に回転方向に交互に配置されている。
【００３４】
第１入射領域３２１及び第２入射領域３２２は、それぞれ所定の中心角θ１、θ２をそなえた領域である。そして、これら２つの領域が「４５度回転した位置に配置される」とは、回転軸Ｃを通り第１入射領域３２１を２等分割する第１中心線Ｌ１と、回転軸Ｃを通り第２入射領域３２２を２等分割する第２中心線Ｌ２との間の角度が４５度である、ことを意味する。本明細書において、第１入射領域３２１及び第２入射領域３２２に関する説明は、特に説明が無い限り、主としてこの第１中心線Ｌ１及び第２中心線Ｌ２に位置する部分に関する説明である。
【００３５】
上述のように第１入射領域３２１と第２入射領域３２２は、境界線Ｌｄによって区画されており、その中心角θ１及びθ２は、求める配光角度によって適宜調整することができる。例えば、図３には、入射面３２０において、第１入射領域３２１の面積が第２入射領域３２２の面積よりも大きいレンズ部３１０を一例として図示している。例えば、厚みが２ｍｍ以下程度で、レンズ部３１０の出射面の径が４ｍｍ程度のレンズ部３１０の場合、第１入射領域３２１の面積を、第２入射領域３２２の面積よりも小さくすることで、４５度方向に出射される出射光の量を多くすることができる。この場合、例えば、カメラ画角が１２０度以上のカメラ用照明として用いることで、被照射領域に均一な光を照射することができる。
【００３６】
また、例えば、上述のサイズのレンズ部を備えた光源モジュールを、カメラ画角が１２０度程度以下のカメラ用照明とする場合、第２入射領域３２２の面積が第１入射領域３２１の面積よりも小さいレンズ部を用いることで、被照射領域に均一な光を照射することができる。このように、目的とする配光角度等に応じて、第１入射領域と第２入射領域の比率を調整することができる。また、反射部の角度も合わせて調整することで、種々の配光特性とすることができる。
【００３７】
図３は、第１入射領域３２１の中心角θ１が、第２入射領域３２２の中心角θ２よりも大きい入射面３２０の一例である。入射面３２０の第１入射領域３２１の中心角θ１は、例えば１０度〜８０度とすることができ、図３に示す例では、第１入射領域３２１の中心角θ１は６８°であり、第２入射領域３２２の中心角θ２は２２°である。
【００３８】
図４Ａは、図１Ｂに示す１つのレンズ部３１０を拡大した概略断面図である。図４Ｂは、図１Ｃに示す１つのレンズ部３１０を拡大した概略断面図である。図５Ａは図４Ａ、図４Ｂに示すＶＡ−ＶＡ線における概略端面図、図５Ｂは図４Ａ、図４Ｂに示すＶＢ−ＶＢ線における概略端面図、図５Ｃは図４Ａ、図４Ｂに示すＶＣ−ＶＣ線における概略端面図、図５Ｄは図４Ａ、図４Ｂに示すＶＤ−ＶＤ線における概略端面図である。
【００３９】
これらの図面に示すように、回転軸Ｃに直交する任意の水平面（ＸＹ面）において、第２入射領域３２２は第１入射領域３２１よりも回転軸Ｃに近い位置に配置されている。これにより、第２入射領域３２２に、より多くの光を入射させることができる。
【００４０】
第１入射領域３２１は、図４Ａに示すように、回転軸Ｃを含む断面において凹曲面である。詳細には、第１入射領域３２１は、第１入射領域３２１の上端３２４と下端３２５とを結ぶ直線よりも外側（回転軸Ｃとは反対側）に位置する。第１入射領域３２１の上端３２４と下端３２５とを結ぶ直線と水平面との間の角度θ３は、２０度〜７０度とすることができる。これにより、反射面３３０への光の入射角度を制御することができる。なお、このような、曲面の上端と下端とを結ぶ直線と水平面との間の角度を、例えば、「第１入射領域の角度θ３」等と簡略化して説明する場合がある。
【００４１】
第２入射領域３２２は、図４Ｂに示すように、回転軸Ｃを含む断面において凸曲面である。詳細には、第２入射領域３２２は、第２入射領域３２２の上端３２４と下端３２５とを結ぶ直線よりも内側（回転軸Ｃに近い側）に位置する。第２入射領域３２１の上端３２４と下端３２５とを結ぶ直線と水平面との間の角度θ４（第２入射領域の角度θ４）は、２０度〜７０度とすることができる。これにより、光源１００から出射される光を、第１入射領域３２１よりも第２入射領域３２２の方により多く入射させることができる。θ４は、θ３よりも小さいことが好ましい。これにより、光源１００から出射された光は、第１入射領域３２１よりも第２入射領域３２２の方に多く入射され易くなる。
【００４２】
図６Ａ、図６Ｂ、図６Ｃは、レンズ部３１０、３１０Ｂ、３１０Ｃの入射面３２０、３２０Ｂ、３２０Ｃの曲率半径が異なる場合の配光特性の変化について説明するための図である。各レンズ部の反射面３３０及び出射面３４０の形状は同じである。
【００４３】
図６Ａは、光源モジュール１０００を搭載した電子機器２０００の一例を示す部分拡大図である。電子機器２０００は、例えば、スマートフォンやタブレット、デジタルカメラ等が挙げられ、ここでは光源モジュール１０００を含む部分を拡大して図示している。光源モジュール１０００は開口部６１０を備えたケース６００の内部に収容されている。
【００４４】
図６Ｂに示す電子機器２０００Ａは、図６Ａに示す電子機器２０００とは、用いる光源モジュールが異なる。詳細には、光源モジュール１０００Ｂのカバー部材に用いられる導光部材のレンズ部３１０Ｂの入射面３２０Ｂの曲率半径が、図６Ａに示すレンズ部３１０の入射面３２０の曲率半径よりも大きくなっている。つまり、入射面３２０Ｂは、入射面３２０よりも、平坦な面に近い凹曲面になっているため、反射面３３０で反射されて出射面３４０から出射される出射光は、図６Ａに示す出射光よりも配光角が狭くなる。換言すると、図６Ｂに示す出射光は、図６Ａに示す出射光よりもＺ軸方向に近づく角度で出射される。
【００４５】
図６Ｃに示す電子機器２０００Ｂは、レンズ部３１０Ｃの入射面３２０Ｃは、図６Ａに示すレンズ部３１０の入射面３２０の曲率半径よりも小さくなっている。つまり、入射面３２０Ｃは、入射面３２０よりも、大きく凹んだ凹曲面になっているため、反射面３３０で反射されて出射面３４０から出射される出射光は、図６Ａに示す出射光よりも配光角が広くなる。換言すると、図６Ｃに示す出射光は、図６Ａに示す出射光よりもＺ軸方向から遠く、ＸＹ面に近づく角度で出射される。
【００４６】
以上のように、入射面の曲率半径を小さくすることで、出射面から出射される出射光の配光角を広くすることができる。なお、図６Ａ〜図６Ｃにおいては、反射面３３０を介して出射面から出射される出射光について説明したが、反射面３３０を介さず、入射面から入射してそのまま出射面から出射される出射光については、以下のようになる。すなわち、図６Ｂに示す入射面３２０Ｂの第１入射領域は、図６Ａに示す入射面３２０の第１入射領域よりも曲率半径が大きいため、反射面３３０を介さずに出射面３４０に入射される光の入射角が大きくなるため、出射面３４０から出射される出射光の配光角度は小さくなり易い。また、図６Ｃに示す入射面３２０Ｃの第１入射領域は、図６Ａに示す入射面３２０の第１入射領域よりも曲率半径が大きいため、反射面３３０を介さずに出射面３４０に入射される光の入射角が小さくなるため、出射面３４０から出射される出射光の配光角度は大きくなる。また、図６Ａ〜図６Ｃにおいては、入射面３２０のうち、凹曲面である第１入射領域３２１の曲率半径を変化させて説明をしたが、凸曲面である第２入射領域３２２の曲率半径を変化させた場合は、第１入射領域とは逆の関係になる。すなわち、凸曲面である第２入射領域３２２は、その曲率半径を小さくすることで光源１００から入射される光が増える。そのため、反射面３３０に入射される光も増えるため、出射面３４０から出射される出射光の配光角度を広くすることができる。
【００４７】
本実施形態において、図２Ｂ、図５Ａ等に示すように、入射面３２０の中心の回転軸Ｃを含む領域に、回転軸Ｃに直交するＸＹ面と平行な平面状の第３入射領域３２３を備えることができる。この第３入射領域３２３は、４つの第１入射領域３２１及び４つの第２入射領域３２２で囲まれており、回転軸Ｃを中心に上下左右に突出した十字状に見える形状である。これは、回転軸Ｃを中心にして上下左右に位置する第１入射領域３２１が、その４５度回転した位置にある第２入射領域３２２よりも離れた位置にあるため、第１入射領域３２１と第３入射領域３２３との界面が、第２入射領域３２２と第３入射領域３２３との界面よりも回転軸Ｃから遠い位置にあるためである。
【００４８】
このような第３入射領域３２３を備えることで、導光部材３００の強度の低下を抑制できる。凹状の入射面３２０を備える導光部材３００は、回転軸Ｃに位置する部分で最も薄くなる。そのため、回転軸Ｃに位置する部分にこのような平面状の第３入射領域３２３を設けることで、導光部材３００の厚みを厚くして導光部材３００の強度の低下を抑制することができる。また、導光部材３００を形成する際に、例えば液状の樹脂を金型内に注入する際に、第３入射領域３２３に相当する領域の金型を平坦な面とすることで、下面と上面との間の隙間を広くすることができる。これにより、樹脂の流れを抑制しにくくし、金型内に樹脂が流動し易くすることができる。第３入射領域３２３は、入射面３２０の開口部の大きさに比べて５０％以下程度とすることができ、好ましくは３０％以下、より好ましくは５％以下である。これにより、配光角度の制御に寄与する第１入射領域３２１及び第２入射領域３２２の面積を広くすることができ、効率よく配光角度を制御することができる。
【００４９】
図１Ｅ、図１Ｇに示す光源モジュール１０００Ａは、図１Ｂ〜図１Ｄに示す光源モジュール１０００の変形例である。詳細には、光源モジュール１０００Ａに用いられるカバー部材２００Ａは、レンズ部材３００Ａとして、回転軸Ｃを含む入射面３２０Ａに第３入射領域を備えないレンズ部３１０Ａを備える点が異なる。レンズ部３１０Ａの入射面３２０Ａは、回転軸を含む断面において凹曲面の第１入射領域３２１Ａと、そこから４５度回転した位置であって回転軸Ｃを含む断面において凸曲面の第２入射領域３２２Ａを備える。
【００５０】
図１Ｅに示すように、第１入射領域３２１Ａは、回転軸Ｃにおいて連続している。同様に、図１Ｆに示すように、第２入射領域３２２Ａは、回転軸Ｃにおいて連続している。このように回転軸Ｃに対して直交する水平な面を備えないことで、回転軸Ｃ方向に照射される光の配光角度を広げることができ、被照射領域において中心が他所より明るくなりすぎることを抑制し、被照射領域に均一な光を照射することができる。
【００５１】
次に、反射面３３０について説明する。レンズ部３１０の反射面３３０は、レンズ部３１０の側面に配置されており、入射面３２０から入射した光の一部を反射する面である。反射面３３０は、図４Ａ、図４Ｂ等に示すように、回転軸Ｃを含む断面において、反射面３３０の上端３３４は、反射面３３０の下端３３５が外側（回転軸Ｃから遠い側）に位置するように傾斜した面である。ここでは、反射面３３０は外側に凸となる凸曲面である。
【００５２】
反射面３３０は、その上端３３４が下端３３５よりも外側に位置しているため、図３に示す下面図に示すように、入射面３２０の外周を囲むように視認することができる。反射面３３０は、回転軸Ｃを含む断面において、直線状でもよく、また曲面状でもよい。好ましくは凹曲面である。反射面３３０が断面視において直線状の場合、水平面と反射面３３０との間の傾斜面の角度は４５度以上９０度以下が好ましい。また、反射面３３０が凹曲面である場合、反射面３３０の下端３３５と上端３３４とを結ぶ直線と水平面（ＸＹ面）との間の角度（反射面の角度）は、４５度〜９０度とすることが好ましく、さらに６０度〜９０度とすることが好ましく、７０度〜９０度とすることがより好ましい。これにより、反射面３３０で反射された光は、例えば図６Ａに示すように回転軸Ｃに向かう方向（回転軸Ｃと交差する方向）に反射させることができる。
【００５３】
反射面３３０の角度を、上述のように水平面（ＸＹ面）に対して９０度に近い角度で傾斜することで、反射面３３０で反射された光は、例えば図６Ａに示すように回転軸Ｃ側に向かう方向に反射される。つまり、光源１００からの光は、回転軸Ｃを中心にして外側に広がる方向（回転軸Ｃから離れる方向）に出射され、入射面３２０に入射された後もさらに外側に向けて進む。これに対し反射面３３０で反射された光は、それまでの進行方向とは逆に回転軸Ｃ方向に向けて進む。その結果、被照射領域に照射される光は、光源１００からの光が反転された状態で照射される。このようなレンズ部３１０を用いることで光をより広い角度で出射させることができる。
【００５４】
図６Ａは、図１Ｂに示す光源モジュール１０００をスマートフォン等の電子機器２０００に搭載した状態を示す概略断面図である。通常、電子機器に搭載される光源モジュール１０００は、その出射面３４０が露出されるような開口部６１０を備えたケース６００に収容されている。
【００５５】
ケース６００は、例えば０．５ｍｍ〜２ｍｍの厚みがあるため、通常は、光源モジュールから出射された光はこのケース６００の開口部６１０の側面６２０に当たってしまい、配光角度を広くすることを阻害され易い。特に、ケース６００の開口部６１０の側面６２０が、光源モジュールの出射面に近接して配置される場合、光源モジュール１０００から出射された出射光は、開口部６１０の側面６２０に当たりやすい。
【００５６】
本実施形態にかかる光源モジュール１０００は、上述のように、水平面（ＸＹ面）に対する反射面３３０の角度を大きくすることで、出射面３４０から出射される出射光を、回転軸Ｃ側に向けて（回転軸Ｃと交差する方向に向けて）、より低い角度（水平面に近くなる角度）で出射することができる。すなわち、上面視において光源１００からの光は外方向に向けて放射状に出射されて入射面３２０に入射し、入射面３２０に入射した光が反射面３３０で反射されて、その対角方向に向けて反射される。そのため、ケース６００の開口部６１０の側面６２０に達した光は、側面６２０の高さより高い位置に進むことになり、より広い配光角度で光を出射することができる。
【００５７】
反射面３３０は、その上端が入射面３２０の上端より高い位置にあることが好ましい。例えば、図４Ａ、図４Ｂに示すように、回転軸Ｃを含む断面において、入射面３２０の上端３２４よりも、反射面３３０の上端３２４の方が上側に位置する。換言すると、回転軸Ｃを含む断面において、入射面３２０の上端３２４よりも、反射面３３０の上端３２４の方が出射面３４０に近い。これにより、入射面３２０から入射した光を効率よく出射面３４０側に反射することができる。入射面３２０の上端３２４のうち、第１入射面３２１の上端及び第２入射領域３２２の上端の両方よりも高い位置に、反射面３３０の上端３３４が位置することで、第１入射領域３２１及び第２入射領域３２２から入射される光をそれぞれ効率よく反射することができる。
【００５８】
ここで、反射面の角度が異なる場合の配光特性の変化について説明する。図７に示す電子機器２０００Ｂは、図６Ａに示す電子機器２０００とは、レンズ部の入射面、出射面の角度や曲率は同じであり、反射面の角度が異なるものである。詳細には、図７に示す光源モジュール１０００Ｄのカバー部材に用いられる導光部材のレンズ部３１０Ｄの反射面３３０Ｂと水平面（ＸＹ面）との間の角度θ５Ｂ（反射面３３０Ｂの角度θ５Ｂ）が、図６Ａに示す光源モジュール１０００のカバー部材に用いられる導光部材のレンズ部３１０の反射面３３０と水平面（ＸＹ面）の間の角度θ５（反射面３３０の角度θ５）よりも小さい。換言すると、図７に示すレンズ部３１０Ａの反射面３３０Ｂと回転軸Ｃとの間の角度は、図６Ａに示す導光部材３００のレンズ部３１０の反射面３３０と回転軸Ｃの間の角度よりも大きい。例えば、図６Ａに示す反射面３３０の角度θ５は７６度（回転軸Ｃと反射面３３０の間の角度は１４度）であり、図６Ｂに示す反射面３３０Ｂの角度θ５Ｂは７０度（回転軸Ｃと反射面３３０Ｂの間の角度は２０度）である。これにより、図６Ａに示す光源モジュール１０００よりも図７に示す光源モジュール１０００Ｃの配光角度は狭くなる。
【００５９】
以上のように、反射面の角度（ＸＹ面からの角度）が大きいほど、配光角度を広くすることができる。
【００６０】
このような反射面３３０は、下面視において略円形とするか、あるいは、入射面３２０と同様に回転軸Ｃに対して４回対称または２回対称とすることができる。例えば、図３に示すように、第１入射領域３２１の外側の反射面３３０は、下面視において凸曲面の第１反射領域３３１を備えることができる。さらに、第２入射領域３２２の外側の反射面３３０は、下面視において凹曲面の第２反射領域３３２を備えることができる。第２反射領域３３２を上面視において凹曲面とすることで、第２反射領域３３２の下端３２５近傍で反射された光が、再度、入射面３２０に入射されることを抑制することができる。これは、上面視において第２反射領域３３２を凹曲面とすることで、反射面３３０の下端３３５近傍において、水平面と反射面３３０の間の角度を小さくする、すなわち上方向に向けることができるためである。さらに、第２反射領域３３２の上端３３４の近傍で、第２反射領域３３２と水平面との間の角度を大きくすることができるため、回転軸Ｃと交差する方向に光を、より低い角度（水平面により近づく角度）で反射し、出射面３４０から出射される出射光の配光角度を広くすることができる。
【００６１】
反射面３３０が第１反射領域３３１及び第２反射領域３３２を備える場合、これらの形成範囲、比率、角度等は、第１入射領域３２１及び第２入射領域３２２に対応するように調整される。また、第１反射領域３３１と第２反射領域３３２との境界は、第１入射領域３２１と第２入射領域３２２の境界と同様に、明確に視認しにくい場合がある。
【００６２】
反射面３３０が、第１反射領域３３１及び第２反射領域３３２を備える場合、第１反射領域３３１は、図４Ａに示す第１反射領域３３１の上端３３４と下端３３５とを結ぶ直線と水平面との間の角度θ５は、４５度〜９０度とすることができる。また、第２反射領域３３２は、図４Ｂに示す第２反射領域３３２の上端３３４と下端３３５とを結ぶ直線と水平面との間の角度θ６は、４５度〜９０度とすることができる。第２反射領域３３２の角度θ６は、第１反射領域３３１の角度θ５よりも大きくすることが好ましい。これにより、第２入射領域３２２から入射された光を、第２反射領域３３２によって、より広い配光角度で外部に出射できるような角度で反射させることができる。なお、図６Ａ及び図７では、反射面のうち第２反射領域３３２を介して出射面から出射される出射光について説明したが、第１反射領域３３１を介して出射面３４０から出射される出射光についても同様である。
【００６３】
次に、出射面３４０について説明する。レンズ部３１０の出射面３４０は、レンズ部３１０の上面において凹状に窪んだ形状である。好ましくは、レンズ部３１０の出射面３４０は凹曲面である。回転軸Ｃに位置する部分が出射面３４０の中心であり、入射面３２０の中心の直上に出射面３４０の中心が位置する。出射面３４０が凹状の場合は、図１Ｂ等に示すように回転軸Ｃ上で最も低くなるような凹状とする。換言すると、出射面３４０は回転軸Ｃに位置する中心が、上面側から最も下側に窪んでいる。出射面３４０を凹曲面とすることで、入射面３２０から入射された光、及び、反射面３３０で反射された光が出射面３４０に入射する光の入射角を大きくすることができる。そのため、出射面３４０と外気との屈折率差を利用して、配光角度を広くすることができる。
【００６４】
回転軸Ｃを含む断面において、出射面３４０の形状は、被照射領域やカメラ画角等に応じて、上述のような凹曲面のほか、凸曲面や平面とすることもできる。
【００６５】
図１Ａに示すように、出射面３４０が凹状である場合、上面視において円形をやや変形した形状とすることができる。上述のように、反射面３３０が第１反射領域３３１と第２反射領域３３２とを備える場合、図５Ａ〜図５Ｄに示すように、回転軸Ｃに直交する任意の水平面において、反射面３３０は、上面視におい回転軸Ｃを中心に上下左右に突出した十字状に見える形状である。詳細には、上面視において第１反射領域３３１が上下左右方向（Ｘ方向及びＹ方向）に突出し、第２反射領域３３２はそれよりも回転軸Ｃに近い側に位置する。このような反射面３３０に対応して、出射面３４０も回転軸Ｃを中心とする凹部３４１を備えることができる。出射面３４０が凹部３４１を備える場合、その凹部３４１は上面視において４回対称となる形状である。尚、出射面３４０が凹部を備える場合、凹部とその周囲の平坦部３４２とは滑らかに変化することが好ましい。図１Ａでは、回転軸Ｃを含む出射面３４０の中央に凹部３４１であり、その外縁を破線で示しているが、実際にはこの外縁は明確には視認しにくい場合がある。また、出射面３４０が凹部３４１を備える場合、上面視において凹部３４１の大きさは入射面３２０の大きさよりも大きいことが好ましい。これにより、反射面３３０及び入射面３２０からの光の多くを、凹部３４１に入射させることができる。凹部３４１の外周の平坦部３４２は、鍔部３５０と連続しており、鍔部３５０と同様に光はほとんど入射されない。
【００６６】
以上のように、本実施形態に係る光源モジュールに用いられるレンズ部は、４回対称であるため、出射される光も４回対称となる。そのため、レンズ部を複数用いる場合は、それぞれのレンズ部の向きを調整することが好ましい。
【００６７】
例えば、図１Ａに示すように１つの光源モジュール１０００が１つの２つのレンズ部３１０（３１１、３１２）を備える導光部材３００を用いる場合、２つのレンズ部３１０を合わせたもの（レンズ群と称する）が、線対称となるよう各レンズ部３１０の向きを調整して配置することが好ましい。詳細には、図１Ａ、図３等に示すように、第１レンズ部３１１と第２レンズ部３１２とを、それぞれの回転軸ＣがＹ方向に並んで配置されるようにした場合、それぞれの入射面の４つの第１入射領域３２１が、Ｙ方向、及びＸ方向に配置されるように領域に配置することが好ましい。それぞれの第２入射領域３２２は、それからそれぞれ４５度回転した位置に配置される。このように２つのレンズ部３１０の第１入射領域３２１と第２入射領域３２２を同じ方向になるように配置することで、上面視において、Ｘ方向及びＹ方向に出射される出射光の量よりも、それから４５度回転した方向に出射される出射光の量を多くすることができる。
【００６８】
光源モジュールが１つのレンズ部３１０を備える場合は、４回対称の入射面であるため、被照射領域を例えば正方形とすることができる。これに対し、光源モジュールが２つのレンズ部３１０を備え、かつ、図１Ａ、図３等に示すように第１入射領域３２１及び第２入射領域３２２を揃えて配置することで、被照射領域を例えば長方形とすることができる。カメラの撮像領域は、例えば、縦横比が４：３、１６：９等と長方形となる場合が多く、そのような場合は、上述のように配置された２つのレンズ部３１０を備える光源モジュール１０００とすることで、撮像領域である被照射領域に対して均一な光を照射することができる。
【００６９】
（鍔部）
次に、レンズ部３１０を囲む鍔部３５０について説明する。導光部材３００の一部である鍔部３５０は、光の配光制御には寄与しない部位に備えられる部材であり、後述の支持部材４００の支持部４１０と接合される部分に位置する部材でもある。鍔部３５０は、レンズ部３１０と一体成形されており、同じ部材で構成される。
【００７０】
鍔部３５０は、断面視においてレンズ部３１０の出射面３４０側、つまり上側に位置している。鍔部３５０は、出射面３４０の周囲において光源モジュール１０００の上面で露出されており、光源モジュール１０００の上面の一部を構成する。さらに、鍔部３５０の上面は、レンズ部３１０の出射面３４０の外周と連続した同一面とすることができる。鍔部３５０の下面は、レンズ部３１０の反射面３３０の上端３３４と連続しており、反射面３３０の下端３３５から離間している。
【００７１】
鍔部３５０は、その外縁において下側に突出する凸部を備えていてもよい。この凸部は図１Ｂ、図１Ｃに示すように、レンズ部３１０から離間しており、支持部材４００の開口部の内壁と接続される部分である。鍔部３５０の外周にこのような凸部を設けることで、導光部材３００の強度を向上させることができる。また、支持部材４００との接合強度を向上させることができる。
【００７２】
図１Ｄに示すように、導光部材３００が複数のレンズ部３１０（例えば、第１レンズ部３１１及び第２レンズ部３１２の２つのレンズ部）を備える場合、これらの間にも鍔部３５０を配置することができる。これにより複数のレンズ部３１０を一体的に有する導光部材３００とすることができる。上述の凸部は、２つのレンズ部３１０の外周を囲むように設けることができる。鍔部３５０の凸部は、後述の支持部材４００の脚部４２０の長さより小さい長さとすることが好ましい。さらに、レンズ部３１０の反射面３３０の下端３３５よりも上側に、鍔部３５０の下端（凸部の下端）が位置することが好ましい。
【００７３】
（支持部材）
支持部材４００は、カバー部材２００の一部を構成する部材であり、導光部材３００を支持する部材である。支持部材４００は、導光部材３００のレンズ部３１０が、光源１００の直上に配置されるよう、詳細には、光源１００の直上であって、光源１００の発光面１１０に接しないような位置に導光部材３００を支持する部材である。
【００７４】
支持部材４００は、導光部材３００を支持する支持部４１０と、支持部４１０の下側に位置する脚部４２０と、を備える。支持部４１０は導光部材３００の外周を囲んでおり、導光部材３００の鍔部３５０と接合されている。脚部４２０は、光源１００の外側に配置されており、光源１００が載置されている配線基板５００上に接合される。支持部材４００の上面は光源モジュール１０００の上面の一部を構成し、支持部材４００の側面は光源モジュール１０００の側面の一部を構成する。
【００７５】
支持部材４００は、光源１００からの光が透過しない遮光性の部材で形成することができる。ここで、遮光性とは、光源１００からの光が５０％以上遮光されることを指し、好ましくは８０％以上、さらに好ましくは９０％以上遮光されることを指す。支持部材４００は、ポリカーボネイト、アクリル、シリコーン樹脂、エポキシ樹脂等の透光性部材で形成することができる。さらに、これらを母材として、遮光性の部材を含むことが好ましい。光反射性の遮光部材としては、酸化チタン、酸化アルミナ、酸化ジルコニウム等が挙げられる。また、光吸収性の遮光部材としては、カーボン、塗料等が挙げられる。これらは１種類、又は複数種類を混合して用いてもよい。
【００７６】
（光源）
光源１００は、ＬＥＤ（Ｌｉｇｈｔ  Ｅｍｉｔｔｉｎｇ  Ｄｉｏｄｅ）等の半導体発光素子、又は、半導体発光素子を含む発光装置等を用いることができる。例えば、図８Ａ〜図８Ｃに示す光源１００は、半導体発光素子を含む発光装置の一例である。詳細には、光源１００である発光装置は、半導体発光素子１２０と、半導体発光素子１２０上に接合部材１４０を介して配置される透光性部材１３０を備える。接合部材１４０は、半導体発光素子１２０の側面にも配置されている。半導体発光素子１２０の側面は、接合部材１４０を介して被覆部材１５０で被覆されている。光源１００は、上面に発光面１１０を備える。光源１００は、側面にも発光面を備えていてもよい。好ましくは、上面のみ、又は、上面と側面の上端近傍に発光面を備える。発光面１１０の上面視形状は、四角形、三角形、五角形、六角形等の多角形や円形や楕円形とすることができる。好ましくは、発光面１１０の上面視形状、正方形である。発光面１１０が四角形の場合、レンズ部３１０の入射面３２０の第２入射領域３２２と発光面１１０の４つの角が対応するように、位置を調整することが好ましい。
【００７７】
半導体発光素子１２０は、半導体積層体１２１と、素子電極１２２と、を備える。半導体積層体１２１は、発光層を含む半導体層を含む。半導体積層体１２１は、さらに、サファイア等の透光性基板を備えていてもよい。半導体積層体の一例としては、第１導電型半導体層（例えばｎ型半導体層）、発光層（活性層）および第２導電型半導体層（例えばｐ型半導体層）の３つの半導体層を含むことができる。紫外光や、青色光から緑色光の可視光を発光可能な半導体層としては、例えば、ＩＩＩ−Ｖ族化合物半導体等の半導体材料から形成することができる。具体的には、ＩｎＸＡｌＹＧａ１−Ｘ−ＹＮ（０≦Ｘ、０≦Ｙ、Ｘ＋Ｙ≦１）等の窒化物系の半導体材料を用いることができる。赤色を発光可能な半導体積層体としては、ＧａＡｓ、ＧａＡｌＡｓ、ＧａＰ、ＩｎＧａＡｓ、ＩｎＧａＡｓＰ等を用いることができる。半導体積層体１２１の厚みは、例えば３μｍ〜５００μｍとすることができる。このような半導体発光素子１２０は、これを単独で用いてもよい。
【００７８】
素子電極１２２は、その側面が被覆部材１５０で被覆されており、下面は被覆部材１５０から露出している。素子電極１２２の下面は、そのまま外部に露出されていてもよいし、図８Ｂ、図８Ｃに示すように金属層１６０で被覆してもよい。
【００７９】
素子電極１２２は、当該分野で公知の材料及び構成で、任意の厚みで形成することができる。例えば、素子電極１２２の厚みは、１μｍ〜３００μｍが好ましい。また、素子電極１２２としては、電気良導体を用いることができ、例えばＣｕ等の金属が好適である。
【００８０】
被覆部材１５０は光反射性であり、半導体発光素子１２０の側面を直接的又は間接的に被覆する。被覆部材１５０は、半導体発光素子１２０からの光を反射可能な部材であり、例えば光反射性物質を含有する樹脂材料を用いることができる。被覆部材１５０は、半導体発光素子１２０からの光に対する反射率が７０％以上であることが好ましく、更に、８０％以上であることが好ましく、９０％以上であることがより好ましい。
【００８１】
被覆部材１５０としては、例えば、シリコーン樹脂、シリコーン変性樹脂、エポキシ樹脂、フェノール樹脂などの熱硬化性樹脂を主成分とする樹脂材料を母材とすることが好ましい。樹脂材料中に含有させる光反射性物質としては、例えば、白色物質を用いることができる。具体的には、例えば、酸化チタン、酸化ケイ素、酸化ジルコニウム、チタン酸カリウム、酸化アルミニウム、窒化アルミニウム、窒化ホウ素、ムライトなどが好適である。光反射性物質は、粒状、繊維状、薄板片状などが利用できる。
【００８２】
透光性部材１３０は、半導体発光素子１２０からの光を透過可能な部材であり、光源１００の発光面１１０を構成する。透光性部材１３０は、透光性の樹脂材料、ガラス等を用いることができる。例えば、シリコーン樹脂、シリコーン変性樹脂、エポキシ樹脂、フェノール樹脂などの熱硬化性樹脂を用いることができる。また、ポリカーボネイト樹脂、アクリル樹脂、メチルペンテン樹脂、ポリノルボルネン樹脂などの熱可塑性樹脂を用いることができる。特に、耐光性、耐熱性に優れるシリコーン樹脂が好適である。透光性部材１３０は、半導体発光素子からの光に対する透過率が７０％以上であることが好ましく、更に、８０％以上であることが好ましく、９０％以上であることがより好ましい。透光性部材１３０は、後述の蛍光体や拡散材等を含んでもよい。
【００８３】
蛍光体は、半導体発光素子１２０からの光を吸収し、異なる波長の光に変換するものが使用される。換言すると、半導体発光素子１２０からの発光で励起可能なものが使用される。例えば、青色発光素子又は紫外線発光素子で励起可能な蛍光体としては、セリウムで賦活されたイットリウム・アルミニウム・ガーネット系蛍光体（ＹＡＧ：Ｃｅ）、セリウムで賦活されたルテチウム・アルミニウム・ガーネット系蛍光体（ＬＡＧ：Ｃｅ）、ユウロピウムおよび／又はクロムで賦活された窒素含有アルミノ珪酸カルシウム系蛍光体（ＣａＯ−Ａｌ２Ｏ３−ＳｉＯ２、）、ユウロピウムで賦活されたシリケート系蛍光体（（Ｓｒ，Ｂａ）２ＳｉＯ４）、βサイアロン蛍光体、ＣＡＳＮ系蛍光体、ＳＣＡＳＮ系蛍光体等の窒化物系蛍光体、ＫＳＦ系蛍光体（Ｋ２ＳｉＦ６：Ｍｎ）、硫化物系蛍光体、量子ドット蛍光体などが挙げられる。これらの蛍光体と、青色発光素子又は紫外線発光素子と組み合わせることにより、様々な色の発光装置（例えば白色系の発光装置）を製造することができる。これら蛍光体は、１種類又は複数用いることができる。複数用いる場合は、混合させてもよく、積層させてもよい。
また、波長変換部材には、粘度を調整する等の目的で、各種のフィラー等を含有させてもよい。
【００８４】
接合部材１４０は、半導体発光素子１２０と透光性部材１３０を接合する部材である。さらに、接合部材１４０は半導体発光素子１２０の側面を被覆し、半導体発光素子１２０の側面から出射される光を透光性部材１３０に導光させるための部材である。接合部材１４０は、透光性の樹脂材料を用いることができる。例えば、シリコーン樹脂、シリコーン変性樹脂、エポキシ樹脂、フェノール樹脂などの熱硬化性樹脂を主成分とする樹脂材料が好ましい。接合部材１４０は、半導体発光素子からの光に対する透過率が７０％以上であることが好ましく、更に、８０％以上であることが好ましく、９０％以上であることがより好ましい。
【００８５】
金属層１６０は、半導体発光素子１２０の素子電極１２２よりも耐腐食性や耐酸化性に優れたものを選択することが好ましい。金属層１６０は単一の材料の一層のみで構成されてもよく、異なる材料の層が積層されて構成されていてもよい。特に、高融点の金属材料を用いるのが好ましく、例えば、Ｒｕ、Ｍｏ、Ｔａ等を挙げることができる。また、これら高融点の金属材料を、半導体発光素子の素子電極と最表面の層との間に設けることにより、はんだに含まれるＳｎが、発光素子の電極や電極に近い層に拡散することを低減することが可能な拡散防止層とすることができる。このような拡散防止層を備えた積層構造の例としては、Ｎｉ／Ｒｕ／Ａｕ、Ｔｉ／Ｐｔ／Ａｕ等が挙げられる。また、拡散防止層（例えばＲｕ）の厚みとしては、１０Å〜１０００Å程度が好ましい。
【００８６】
（配線基板）
配線基板５００は、基台と、その上面に配置された配線と、を備える。基台としては、例えば、セラミック、ガラエポ、紙フェノール等の絶縁性の材料を用いることができる。あるいは、基台として、アルミ等の金属を用いた導電性の材料を用いることもでき、その場合は、導電性の基台と配線との間に絶縁層を備える。また、配線基板の形状は、例えば、四角形や円形等とすることができる。配線の材料としては、例えば、Ｃｕ、Ａｇを用いることができる。さらに、配線の表面にはＡｕめっきや半田めっき等を用いることができる。また、配線は、上述のめっきに代えて、水溶性フラックスを備えていてもよい。絶縁層は、例えば、エポキシ樹脂、シリコーン等を用いることができる。
【００８７】
（ケース）
ケース６００は、光源モジュール１０００等を収容するための筐体であり、電子機器２０００の外表面の一部を構成する部材である。ケース６００は、樹脂、木、金属等、目的や用途に応じて、さらにデザイン性を考慮して種々の材料や形状のものが用いられる。例えば、スマートフォンなどの小型の通信機器は、カメラ機能を備えており、光源モジュール１０００はカメラ用のレンズの近傍に配置されており、カメラ用レンズと共にケース６００内に収容される。
【００８８】
ケース６００は、光源モジュール１０００からの光を外部に出射可能な開口部６１０を備える。開口部６１０の大きさは、光源モジュール１０００の出射面３４０よりやや小さい大きさとすることができる。また、開口部６１０は、断面視においてその内側面が図６Ａに示すような、垂直な面とすることができる。あるいは、開口部６１０の内側面は、上面側の内径が下面側の内径よりも大きい形状とすることができる。換言すると、開口部の内側面は、上側に向かって広がった傾斜面とすることができる。このような傾斜面とすることで、光源モジュール１０００からの光を遮りにくくすることができ、広い配光特性の光を照射することができる。
【符号の説明】
【００８９】
１０００、１０００Ａ、１０００Ｂ、１０００Ｃ、１０００Ｄ…光源モジュール
１００…光源
１１０…発光面
１２０…半導体発光素子
１２１…半導体積層体
１２２…素子電極
１３０…透光性部材
１４０…接合部材
１５０…被覆部材
１６０…金属層
２００、２００Ａ…カバー部材
３００…導光部材
３１０…レンズ部（３１１…第１レンズ部、３１２…第２レンズ部）
３２０、３２０Ａ…入射面
３２１、３２１Ａ…第１入射領域
３２２、３２２Ａ…第２入射領域
３２３…第３入射領域
３２４…入射面の上端
３２５…入射面の下端
Ｌｄ…境界線
Ｌ１…第１中心線
Ｌ２…第２中心線
θ１…第１入射領域の中心角
θ２…第２入射領域の中心角
θ３…第１入射領域の角度
θ４…第２入射領域の角度
θ５…第１反射領域の角度
θ６…第２反射領域の角度
３３０、３３０Ｂ…反射面
３３１…第１反射領域
３３２…第２反射領域
３３４…反射面の上端
３３５…反射面の下端
３４０…出射面（３４１…凹部、３４２…平坦部）
３５０…鍔部
Ｃ…回転軸
４００…支持部材
４１０…支持部
４２０…脚部
５００…配線基板
６００…ケース
６１０…ケースの開口部
６２０…開口部の側面
２０００、２０００Ｂ…電子機器
【図１Ａ】
2019192386.tif 000003
【図１Ｂ】
2019192386.tif 000004
【図１Ｃ】
2019192386.tif 000005
【図１Ｄ】
2019192386.tif 000006
【図１Ｅ】
2019192386.tif 000007
【図１Ｆ】
2019192386.tif 000008
【図２Ａ】
2019192386.tif 000009
【図２Ｂ】
2019192386.tif 000010
【図３】
2019192386.tif 000011
【図４Ａ】
2019192386.tif 000012
【図４Ｂ】
2019192386.tif 000013
【図５Ａ】
2019192386.tif 000014
【図５Ｂ】
2019192386.tif 000015
【図５Ｃ】
2019192386.tif 000016
【図５Ｄ】
2019192386.tif 000017
【図６Ａ】
2019192386.tif 000018
【図６Ｂ】
2019192386.tif 000019
【図６Ｃ】
2019192386.tif 000020
【図７】
2019192386.tif 000021
【図８Ａ】
2019192386.tif 000022
【図８Ｂ】
2019192386.tif 000023
【図８Ｃ】
2019192386.tif 000024